(57)【要約】  本発明はLED表示モジュール、LEDテレビ及びLEDテレビシステムを提供し、LED表示モジュール（1）にカメラモジュール（2）を嵌設することで、LEDテレビがディスプレイクリーン中央から図像を撮影し、人がディスプレイクリーンを直視しているため、リモートスタッフとローカルスタッフとが完全に相互に正視でき、ビデオインタラクティブの感官感受を向上させ、且つ眼神からより多い情報可を取得でき、インタラクティブの情報量をより充分にさせる。カメラモジュール（2）が正面に撮影できるため、撮影の特徴情報の精確性を向上させることで、後続動作分析の精確性を向上させ、LEDテレビの応用を拡張させる。
2014524052.tif 000002
【特許請求の範囲】
【請求項１】
LED表示ユニットにより構成され、上記LED表示モジュールにカメラモジュール（2）を嵌設することを特徴とするLED表示モジュール。
【請求項２】
上記LED表示ユニットがピクセルマトリクスにより上記LED表示モジュールを形成し、上記カメラモジュール（2）が上記マトリクスにある一つのピクセルを占めることを特徴とする請求項１に記載のLED表示モジュール。
【請求項３】
上記LED表示ユニットがピクセルマトリクスにより上記LED表示モジュールを形成し、上記カメラモジュール（2）が上記マトリクスにおけるピクセル間の区域に位置することを特徴とする請求項１に記載のLED表示モジュール。
【請求項４】
請求項１ないし３の何れもに記載されたLED表示ユニットにより構成される若干のLED表示モジュール（1）を含めていることを特徴とするLEDテレビ。
【請求項５】
上記カメラモジュール（2）が上記LEDテレビのディスプレイクリーンの中部に位置することを特徴とする請求項４に記載のLEDテレビ。
【請求項６】
請求項４に記載されたLEDテレビと、上記カメラモジュール（2）の入力データに対して図像処理を行うように上記カメラモジュール（2）に接続する図像処理ユニット（5）と、外部システムと上記図像処理後のデータをインタラクティブするように上記図像処理ユニット（5）に接続する埋込み型コンピュータシステム（6）とを含めていることを特徴とするLEDテレビシステム。
【請求項７】
請求項４に記載されたLEDテレビと、上記カメラモジュール（2）の入力データを初期図像に形成してなり、且つ上記初期図像にある特徴情報を提出する上記カメラモジュール（2）に接続する図像処理ユニット（5）と、上記特徴情報を分析するように上記図像処理ユニットに接続する埋込み型コンピュータシステム（6）とを含めていることを特徴とするLEDテレビシステム。
【請求項８】
上記外部システムは、それぞれ上記分析結果により対応データ処理を行うための電子インタラクティブゲームシステム、ビデオインタラクティブ広告システム、ビデオインタラクティブ市場調査システム、体験式オーディオシステム、マウスキーボードシステム、バーチャル現実システム、バーチャルサンドボックスモデルまたはバーチャル運転システムことを特徴とする請求項７に記載のLEDテレビシステム。
【請求項９】
上記特徴情報は、時間差のある眼神特徴情報或は肢体動作特徴情報であることを特徴とする請求項７に記載のLEDテレビシステム。
【発明の詳細な説明】
【技術分野】
【０００１】
本発明はLED分野に関し、特にLED表示モジュール、LEDテレビ及びLEDテレビシステムに関する。
【背景技術】
【０００２】
発光二極管（Lighting Emitting Diode；LED）は電力を可視光に転化する固態の半導体部品であり、既に幅広く各種の表示、照明等の場合に応用されている。伝統の受像管テレビも次第にLEDのあるテレビにより取替えされ、いらゆるLEDテレビに応用される。現在、LEDテレビが外部とビデオ会議等のインタラクティブを実現する時、一般的にはLEDテレビの四辺に一つのカメラモジュールを設置するため、LEDテレビの正常ビデオ表示機能に影響しない前提下で、ローカルのビデオ撮影及びリモートのビデオ表示を完成する。然し、参会者が一般的にLEDテレビ正前方に座して且つLEDテレビディスプレイクリーンを直視しており、カメラモジュールが撮影時に角度問題で人顔面の正面を撮影しないため、リモートの参会者がローカル参会者と完全に正視できなく、参会者に感官での不調和を引き起こし、且つできない眼神からより多い情報を取得する。なお、カメラモジュールが正面から相手方を撮影できないため、精確に肢体動作等の特徴情報を取得して後続分析判断に利用することができなく、LEDテレビの応用を限制する。
【発明の概要】
【発明が解決しようとする課題】
【０００３】
本発明の実施例の解決しようとする技術問題は、ビデオインタラクティブの感官感受を向上させ、インタラクティブの情報量をより充分になり、且つ撮影の特徴情報の精確性を向上させ、LEDテレビの応用を拡張できるLED表示モジュール、LEDテレビ及びLEDテレビシステムを提供する。
【課題を解決するための手段】
【０００４】
本発明の実施例の更に解決しようとする技術問題は、LED表示ユニットにより構成され、上記LED表示モジュールにカメラモジュールを嵌設するLED表示モジュールを提供する。
【０００５】
更に好ましくは、上記LED表示ユニットがピクセルマトリクスにより上記LED表示モジュールを形成し、上記カメラモジュールが上記マトリクスにある一つのピクセルを占める。
【０００６】
更に好ましくは、上記LED表示ユニットがピクセルマトリクスにより上記LED表示モジュールを形成し、上記カメラモジュールが上記マトリクスにおけるピクセル間の区域に位置する。
【０００７】
好ましくは、本発明の実施例は更に、上記LED表示ユニットで構成される若干のLED表示モジュールを含めているLEDテレビを提供する。
【０００８】
更に好ましくは、上記カメラモジュールが上記LEDテレビのディスプレイクリーンの中部に位置する。
【０００９】
好ましくは、本発明の実施例は更に、上記LEDテレビと、上記カメラモジュールの入力データに対して図像処理するように上記カメラモジュールに接続する図像処理ユニットと、外部システムと上記図像処理された後のデータをインタラクティブするように上記図像処理ユニットに接続する埋込み型コンピュータシステムとを含めているLEDテレビシステムを提供する。
【００１０】
好ましくは、本発明の実施例は更に、上記LEDテレビと、上記カメラモジュールの入力データを初期図像に形成させてなりととも、上記初期図像にある特徴情報を提出するように上記カメラモジュールに接続する図像処理ユニットと、上記特徴情報を分析するように上記図像処理ユニットに接続する埋込み型コンピュータシステムとを含めているLEDテレビシステムを提供する。
【００１１】
更に好ましくは、上記外部システムはそれぞれ、上記分析結果により対応のデータ処理する電子インタラクティブゲームシステム、ビデオインタラクティブ広告システム、ビデオインタラクティブ市場調査システム、体験式オーディオシステム、マウスキーボードシステム、バーチャル現実システム、バーチャルサンドボックスモデルまたはバーチャル運転システムである。
【００１２】
更に好ましくは、上記特徴情報は、時間差のある眼神特徴情報或は肢体動作特徴情報である。
【発明の効果】
【００１３】
本発明の実施例の有益効果は以下のことにある。
【００１４】
LED表示モジュール、LEDテレビ及びLEDテレビシステムを提供し、LED表示モジュールにカメラモジュールを嵌設することで、LEDテレビはディスプレイクリーン中央から図像を撮影でき、人がディスプレイクリーンを直視しているため、リモートスタッフとローカルスタッフとが完全に相互に正視し、ビデオインタラクティブの感官感受を向上させ、且つ眼神からより多い情報を取得でき、インタラクティブの情報量をより充分にさせる。カメラモジュールが正面に撮影できるため、撮影の特徴情報の精確性を向上させ、これにより後続の動作分析の精確性を得到了を向上させ、LEDテレビの応用を拡張させる。
【図面の簡単な説明】
【００１５】
【図１】本発明の実施例によるLEDテレビの正面図である。
【図２】本発明の実施例によるLED表示モジュール1の斜視図である。
【図３】本発明の実施例によるLED表示モジュール1の細部図である。
【図４】本発明の実施例によるカメラモジュール2の構造図である。
【図５】本発明の実施例によるLEDテレビシステムの構造見取図である。
【発明を実施するための形態】
【００１６】
不矛盾の場合には、本出願の各実施例及び各実施例にある特徴が相互に結合できることを説明する必要があり、以下、図面及び具体な実施例を結合して本発明をより一層として詳細に説明する。
【００１７】
図1の示すように、本発明の実施例は、LEDテレビを提供し、LED表示ユニットで構成されるLED表示モジュールを若干含めており、LEDテレビ先端のディスプレイクリーンが若干のLED表示モジュールによりをスプライスして組立してなり、各LED表示ユニットが一つのLEDチップをパッケージングしてなり、その中での一つのLED表示モジュール1が図2及び図3のように示し、該LED表示モジュール1がカメラモジュール2を嵌設する。カメラモジュール2が図4の示すような構造を備え、即ち、カメラ3、外囲回路及び組立にに固定されるされる構造4を含めている。LED表示モジュール1の位置を設置することで、カメラモジュールがLEDテレビのディスプレイクリーンの中部に位置させる。
【００１８】
図2及び図3には、LED表示ユニットがピクセルマトリクスによりLED表示モジュール1を形成し、カメラモジュール2がマトリクスにある一つのピクセルを占める。勿論、他の実施方式として、マトリクス中一つのピクセルを占めることなく、カメラモジュール2が更にマトリクスにおけるピクセル間の区域に位置してよく。
【００１９】
組立する時、カメラモジュール2を一つのLED表示モジュールの中部に組立し、更にLED表示モジュールの辺沿に組立することができる。
【００２０】
実施方式として、LED表示モジュールに更に複数カメラモジュール2を設置できるため、多角度から図像を取得することで後続にインタラクティブ或は分析に使用される。
【００２１】
好ましくは、本発明の実施例は更に、図6の示すように、上記構造のLEDテレビと、カメラモジュール2の入力データを図像処理するようにカメラモジュール2に接続する対図像処理ユニット5と、外部システムと図像処理後のデータをインタラクティブするように図像処理ユニット5に接続する埋込み型コンピュータシステム6とを含めているLEDテレビシステムを提供する。このように、カメラモジュール2の撮影した静態図面或は動態ビデオを入力データとして、且つ経図像処理した後に埋込み型コンピュータシステム6が外部システムにインタラクティブするように発送するため、ビデオ会議等の場景に応用されることができる。
【００２２】
好ましくは、本発明の実施例は更に、他のLEDテレビシステムを提供し、その全体構造が依然として図5のように示し、上記構造のLEDテレビと、カメラモジュール2の入力データを初期図像に形成してなり、且つ初期図像中特徴情報を提出するようにカメラモジュール2に接続する図像処理ユニット5と、特徴情報を分析するように図像処理ユニット5に接続する対埋込み型コンピュータシステム6とを含めている。このように、カメラモジュール2の撮影した静態図面或は動態ビデオを入力データとし、且つ特徴情報で提出された後に埋込み型コンピュータシステム6が分析するため、例えば眼神特徴情報、肢体動作特徴情報等は前後時間差により、動作分析に利用できるため、このような分析されて得る「動作」は、それぞれ該分析結果による対応データ処理を実施するための電子インタラクティブゲームシステム、ビデオインタラクティブ広告システム、ビデオインタラクティブ市場調査システム、体験式オーディオシステム、マウスキーボードシステム、バーチャル現実システム、バーチャルサンドボックスモデルまたはバーチャル運転システム等に利用できる。例えば、眼神特徴情報は眼球を左から右に摺動するように指示する時、このような「動作」とは、時間差のある図像フレームにある眼神特徴情報から分析してなり、マウス左ボタンをクリックするように定義される時、マウス左ボタンをクリックする機能の完成を触発する。同様に、このような実現方式は更に、肢体動作特徴情報の応用或は他の特徴情報の応用に適用できる。
【００２３】
上記両LEDテレビシステムは更に組合設計できるため、ビデオインタラクティブと「動作」分析処理との組合機能を備える他のLEDテレビシステムを得ることを説明する必要がある。
【００２４】
本発明の実施例を表示及び記述したが、当業者にとって、本発明の原理及び精神を離脱しない場合にはこれらの実施例に対して様々の変化、修改、切り替え及び変形を行うことでき、本発明の範囲は付属の請求項とその等同範囲により限定されることを理解できる。
【図１】
2014524052.tif 000003
【図２】
2014524052.tif 000004
【図３】
2014524052.tif 000005
【図４】
2014524052.tif 000006
【図５】
2014524052.tif 000007
【国際調査報告】
2014524052.tif 000008
2014524052.tif 000009
2014524052.tif 000010
2014524052.tif 000011